(57)【特許請求の範囲】
【請求項１】
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成され、該ケース本体の側面に開閉可能な扉パネルが設けられる展示ケースにおいて、
前記扉パネルが前記展示台に設けられる移動支持手段により移動可能に支持され、該扉パネルには、その上端縁から前記天井パネルの上面縁部を覆うように延設されるカバー部材が設けられ、前記扉パネルが前記天井パネルに向かって移動されることで前記カバー部材の少なくとも一部に係合される係合手段が前記天井パネルの上面に設けられるとともに、前記カバー部材の下面には、前記係合手段と係合する被係合部が設けられ、かつ前記天井パネルの上面縁部には、前記係合手段と前記被係合部との係合方向に沿って前記カバー部材の移動を案内する案内手段が設けられることを特徴とする展示ケース。
【請求項２】
前記案内手段は案内レールであることを特徴とする請求項１に記載の展示ケース。
【請求項３】
前記案内レールは、断面視で略Ｔ字形状をなし、該案内レールの断面視形状と略同一形状をなす溝部が前記カバー部材に設けられることを特徴とする請求項２に記載の展示ケース。
【請求項４】
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成され、該ケース本体の側面に開閉可能な扉パネルが設けられる展示ケースにおいて、
前記扉パネルが前記展示台に設けられる移動支持手段により移動可能に支持され、該扉パネルには、その上端縁から前記天井パネルの上面縁部を覆うように延設されるカバー部材が設けられ、前記扉パネルが前記天井パネルに向かって移動されることで前記カバー部材の少なくとも一部に係合される係合手段が前記天井パネルの上面に設けられるとともに、
前記天井パネルには、その上面周縁部における前記カバー部材が配置される部位以外に、略枠状をなす枠部が設けられ、該枠部の厚み寸法と前記カバー部材の厚み寸法を略同一にしたことを特徴とする展示ケース。
【請求項５】
前記枠部の内側には、前記展示空間に向かって光を照射するための略パネル形状をなす発光パネルユニットが配置される配置部が設けられることを特徴とする請求項４に記載の展示ケース。
【発明の詳細な説明】
【技術分野】
【０００１】
本発明は、博物館や美術館等に設置される展示ケースに関する。
【背景技術】
【０００２】
従来の展示ケースは、展示台の周囲をガラス板（側面パネル）で囲むことで展示空間を確保しており、展示台及び天井部に設けられたレール等により、戸板（扉パネル）がスライド移動して開放可能となっている（例えば、特許文献１参照）。また、ベース部（展示台）のみにレール装置を設けて扉板（扉パネル）をスライド移動可能に支持するとともに、扉板の上端縁に当接されるガイド部材を設けることで、扉板の開閉動時に扉板の安定性を確保するようにしている（例えば、特許文献２参照）。
【先行技術文献】
【特許文献】
【０００３】
【特許文献１】特開平８−５６７８７号公報
【特許文献２】特開２００６−１１０２４８号公報
【発明の概要】
【発明が解決しようとする課題】
【０００４】
しかしながら、特許文献１に記載の展示ケースにあっては、レール等を設けるために天井部の厚み寸法が大きくなり、展示品を鑑賞する際に圧迫感があるばかりか、展示ケースの重心が上方寄りになり、地震等が発生した際に天井部や戸板（扉パネル）が大きく揺れてしまうという問題がる。また、特許文献２に記載の展示ケースにあっては、展示ケースの重心を低くできるものの、ベース部（展示台）のレール装置で扉板（扉パネル）を支持しているため、扉板の上端縁が天板から離れる方向に傾き易くなっており、扉板と天板及び壁板との密閉性が低下してしまうという問題がある。
【０００５】
本発明は、このような問題点に着目してなされたもので、展示ケースの重心を低くしつつ、扉パネルとケース本体との密閉性を向上させることができる展示ケースを提供することを目的とする。
【課題を解決するための手段】
【０００６】
前記課題を解決するために、本発明の展示ケースは、
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成され、該ケース本体の側面に開閉可能な扉パネルが設けられる展示ケースにおいて、
前記扉パネルが前記展示台に設けられる移動支持手段により移動可能に支持され、該扉パネルには、その上端縁から前記天井パネルの上面縁部を覆うように延設されるカバー部材が設けられ、前記扉パネルが前記天井パネルに向かって移動されることで前記カバー部材の少なくとも一部に係合される係合手段が前記天井パネルの上面に設けられるとともに、前記カバー部材の下面には、前記係合手段と係合する被係合部が設けられ、かつ前記天井パネルの上面縁部には、前記係合手段と前記被係合部との係合方向に沿って前記カバー部材の移動を案内する案内手段が設けられることを特徴としている。
この特徴によれば、展示台に移動支持手段を設けることで展示ケースの重心を低くして地震等が発生した際に展示台が揺れ難くなり、かつカバー部材の自重により扉パネルの上端縁が天井パネルに向かって傾き易くなり、扉パネルを閉じる際に、作業者がカバー部材を係合手段に係合し易くなるばかりか、カバー部材及び係合手段を介して互いに接続される扉パネルとケース本体との密閉性を向上させることができる。また、カバー部材や係合手段が天井パネルの上面側に配置されることで、天井パネルを薄く形成すること可能になるばかりか、扉パネルの略全面を透明にすることが可能となり、鑑賞者が展示品を鑑賞する際の圧迫感を無くすこともできる。
【０００７】
本発明の展示ケースは、
前記案内手段は案内レールであることを特徴としている。
この特徴によれば、扉パネルを閉める際に、案内レールによりカバー部材がぐらつかずに安定して移動されるようになり、係合手段と被係合部との係合をスムーズに行うことができる。
【０００８】
本発明の展示ケースは、
前記案内レールは、断面視で略Ｔ字形状をなし、該案内レールの断面視形状と略同一形状をなす溝部が前記カバー部材に設けられることを特徴としている。
この特徴によれば、案内レールによりカバー部材が案内される際に、水平方向のみならず上下方向にもぐらつかずに案内されるようになる。
【０００９】
本発明の展示ケースは、
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成され、該ケース本体の側面に開閉可能な扉パネルが設けられる展示ケースにおいて、
前記扉パネルが前記展示台に設けられる移動支持手段により移動可能に支持され、該扉パネルには、その上端縁から前記天井パネルの上面縁部を覆うように延設されるカバー部材が設けられ、前記扉パネルが前記天井パネルに向かって移動されることで前記カバー部材の少なくとも一部に係合される係合手段が前記天井パネルの上面に設けられるとともに、
前記天井パネルには、その上面周縁部における前記カバー部材が配置される部位以外に、略枠状をなす枠部が設けられ、該枠部の厚み寸法と前記カバー部材の厚み寸法を略同一にしたことを特徴としている。
この特徴によれば、枠部によって天井パネルが補強されて天井パネルが歪み難くなり、係合手段の配置精度が向上して、扉パネルのがたつき等を防止できる。また、天井パネルを外方から視認する際に、カバー部材と枠部とが一体的な見栄えになり、体裁のよい展示ケースを提供することができる。
【００１０】
本発明の展示ケースは、
前記枠部の内側には、前記展示空間に向かって光を照射するための略パネル形状をなす発光パネルユニットが配置される配置部が設けられることを特徴としている。
この特徴によれば、発光パネルユニットから発生する熱によって暖められた空気が展示空間内に入り込まないようになり、展示空間内の温度上昇を防止することができるばかりか、発光パネルユニットの放熱性を向上させることができ、かつ配置部に配置された発光パネルユニットが枠部によって囲まれて保護されるようになる。また、発光パネルユニットが枠部によって隠蔽されて、体裁のよい展示ケースを提供することができる。
【図面の簡単な説明】
【００１１】
【図１】実施例における展示ケースを示す斜視図である。
【図２】扉パネルを開放した状態の展示ケースを示す斜視図である。
【図３】展示ケースを示す平面図である。
【図４】展示ケースの上部を示す縦断側面図である。
【図５】発光パネルユニットを示す縦断側面図である。
【図６】展示ケースの下部を示す縦断側面図である。
【図７】展示ケースの下部を示す部分拡大縦断側面図であり、図７（ａ）は扉パネルが閉鎖した状態を示し、図７（ｂ）は扉パネルを引き出した状態を示す。
【図８】展示ケースを示す部分拡大平面図であり、図８（ａ）は扉パネルが閉鎖した状態を示し、図８（ｂ）は扉パネルを引き出した状態を示す。
【図９】展示ケースの上部を示す部分拡大縦断側面図であり、図９（ａ）は扉パネルが閉鎖した状態を示し、図９（ｂ）は扉パネルを引き出した状態を示す。
【図１０】案内レールと被案内部を示す部分拡大縦断側面図である。
【図１１】案内レールと被案内部を示す部分拡大縦断背面図である。
【発明を実施するための形態】
【００１２】
本発明に係る展示ケースを実施するための形態を実施例に基づいて以下に説明する。
【実施例】
【００１３】
実施例に係る展示ケースにつき、図１から図９を参照して説明する。以下、図３から図９の紙面左側を展示ケースの背面側（後方側）として説明する。図１の符号１は、本発明の適用された展示ケースである。この展示ケース１は、主に美術館や博物館等に設置され、展示ケース１内に配置された展示品（図示略）を、鑑賞者が展示ケース１の周囲から鑑賞できるようになっている。
【００１４】
図１に示すように、展示ケース１は、床面に設置されて平面視で略四角形状をなす展示台２を有し、展示台２の四方の各側面の外周を取り囲むように、床面から立設されたガラス等の材質で形成された透明なガラスパネル（透光性パネル部材）で構成される側面パネル３が配置されている。この側面パネル３によって展示台２の上方に展示空間４が形成されている。そして、展示品（図示略）を展示台２の上面に配置して収容するようになっている。なお、これら複数枚の側面パネル３のうち背面側に配置されるパネルは、開閉可能な扉パネル５となっている（図２参照）。
【００１５】
側面パネル３で囲まれた展示空間４の上方は、ガラスパネル（透光性パネル部材）で構成された透明な天井パネル６により覆われている。なお、本実施例では、展示台２と側面パネル３と天井パネル６とによりケース本体が構成されている。そして、ケース本体の背面側の開口が扉パネル５により開閉されるようになっている。
【００１６】
図３に示すように、天井パネル６の上面側の中央部には、略パネル状をなす照明手段としての発光パネルユニット７が配置されている。なお、天井パネル６は、平面視で略四角形状をなすとともに、発光パネルユニット７も平面視で略四角形状をなしている。
【００１７】
天井パネル６の上面における発光パネルユニット７の周辺部には、複数の板状の枠部材８が略枠状に配置された枠部が構成されている。この枠部材８は、天井パネル６の四辺における正面側及び左右側の縁部に設けられている。天井パネル６の背面側の縁部には、後述するように、扉パネル５の上端縁に取り付けられたカバー部材９が配置される。カバー部材９及び枠部材８で囲まれた部位は、展示空間４に向かって光を照射するための略パネル形状をなす発光パネルユニット７が配置される配置部１０となっている。
【００１８】
更に、配置部１０に配置された発光パネルユニット７が枠部材８によって囲まれて保護されるようになり、室内の天井に設置される部材等が展示ケース１の上部に接触しても、枠部材８に接触させることで、発光パネルユニット７に対する接触が防止される。また、発光パネルユニット７が枠部材８によって隠蔽されて、体裁のよい展示ケース１を提供することができる。
【００１９】
図４に示すように、天井パネル６は、側面パネル３で囲まれた展示空間４の上方を覆う透明なガラスパネル１１（透光性パネル部材）を有している。なお、前述した枠部材８もガラス製（同材質）の板状部材となっている。また、枠部材８が展示空間４の上方を覆うガラスパネル１１と同じガラス製であるため、展示空間４の上方を覆うガラスパネル１１と枠部材との熱膨張率を同一にすることができ、発光パネルユニット７の放熱や気温変化による天井パネル６の歪みを防止できる。
【００２０】
また、発光パネルユニット７は、その下面側がガラスパネル１１の上面に接着されている。ガラスパネル１１の背面側には、扉パネル５を開閉させる際に用いる開閉レール１２及び案内レール１３が形成された略板状をなすレール部材１４が取り付けられている。
【００２１】
なお、枠部材８は着色されて非透光性を有する色ガラスとなっている。そして、発光パネルユニット７と枠部材８の間には、目隠し用の膜部材１６が取り付けられている。このように天井パネル６は、このレール部材１４と枠部材８と膜部材１６により発光パネルユニット７の配置部１０以外の部位が非透光性を有するようになっている。また、側面パネル３及び扉パネル５における展示台２を囲む部位には、塗装膜５３が設けられ、この塗装膜５３により展示台２の側部が隠蔽されている。
【００２２】
なお、展示ケース１は、一般的な鑑賞者の身長よりも大きく形成されており、鑑賞者が天井パネルを下方から見上げた際に、前述した配線１７等はレール部材１４や枠部材８などにより鑑賞者から見えないようになっている。また、展示ケース１の上方にある室内の天井の照明装置等から光が照射された際に、展示ケース１の上方から展示ケース１内に入り込む光が遮られることとなる。そのため、発光パネルユニット７から発せられる光のみで展示品（図示略）を照らすことができ、展示ケース１による照明効果を高められる。
【００２３】
図５に示すように、発光パネルユニット７は、アクリル樹脂等の材質で形成された導光板１８を有している。この導光板１８は、その上面の全面に渡って微細な凹凸が形成されている。この微細な凹凸は、シルク印刷加工やＶ溝カット加工や成形加工やレーザー加工等の所定の加工方法により形成されている。
【００２４】
また、導光板１８の上面には、光を反射させる反射シート１９が設けられている。導光板１８の下面には、光を拡散させる拡散シート２０が設けられている。平面視で略四角形状をなす導光板１８の前後の縁辺側には、複数のＬＥＤ２１を有する照明基板２２が設けられている。この照明基板２２は、導光板１８の端面に沿って延設されており、複数のＬＥＤ２１は、照明基板２２の長手方向に沿って並設されており、このＬＥＤ２１は導光板１８の端面側に向いている。
【００２５】
図３及び図５に示すように、導光板１８の四辺には、断面視で略コ字形状をなすフレーム部材２３に装着されている。前述した照明基板２２はフレーム部材２３に装着されている。発光パネルユニット７において、フレーム部材２３で囲まれた上面側は、矩形板材２４により閉塞されている。
【００２６】
図５に示すように、発光パネルユニット７は、複数のＬＥＤ２１が導光板１８の端面側にのみ配置されており、従来の一般的な照明装置のように、照射面全体にＬＥＤを設けずに済む。また、この発光パネルユニット７の上下幅を小さくして薄型に形成し、かつ軽量化することができるとともに、ＬＥＤ２１の使用個数を減らして製造コストを低減させることができる。また、薄型の発光パネルユニット７を用いることにより、圧迫感が少ない展示ケース１とすることができる。
【００２７】
照明基板２２のＬＥＤ２１を点灯させると、ＬＥＤ２１より発せられた光は、導光板１８の端面に向かって入射される。この入射された光は、導光板１８内部で広がり、導光板１８の上面に達した光は、導光板１８の上面に形成された微細な凹凸で拡散されつつ、反射シート１９により反射され、導光板１８の下面側に向かうようになっている。
【００２８】
導光板１８の下面に達した光は、拡散シート２０により拡散され、導光板１８の下面側全体から均一に照射されるようになっている。そして、ＬＥＤ２１から発せられる光は直接展示品（図示略）に照射されるのではなく導光板１８を介して照射されるため、紫外線や赤外線を低減させた光を展示品に照射させることができ、長時間照射しても、紫外線によって展示品が色褪せたり、赤外線による熱で展示品を傷めたりせずに済むようになる。
【００２９】
発光パネルユニット７は、天井パネル６よりも小さく形成されており、発光パネルユニット７から照射される光は、発光パネルユニット７から外側斜め下方向に向かって広がるようになっており、この発光パネルユニット７の大きさは、照射される光が展示台２の上面にまんべんなく照射される程度の大きさに形成されている。
【００３０】
そのため、展示台２よりも外方側に光が照射されないように、発光パネルユニット７による照射領域を展示台２の上面に限定することにより発光パネルユニット７の消費電力を低減できる。また、展示ケース１の外周に居る鑑賞者の目に光が直接入り込まないようにすることができる。
【００３１】
また、発光パネルユニット７は、天井パネル６の上方に配置されているため、別途、発光パネルユニット７を支持するための部材を用いることなく、天井パネル６を利用して導光板ユニットを支持することができる。また、ＬＥＤ２１から発生する熱によって暖められた空気が展示空間４内に入り込まないようになり、展示空間４内の温度上昇を防止することができる。そして、発光パネルユニット７が上方に露呈されているため、発光パネルユニット７の放熱性を向上させることができる。
【００３２】
なお、従来の一般的な照明装置のように、照射面全体にＬＥＤを配置して照射されるようにすると、ＬＥＤは点発光するようになっているため、その点発光が目立ってしまい、照射面全体にＬＥＤの光のムラができてしまうようになっている。しかしながら本実施例の発光パネルユニット７では、ＬＥＤ２１から照射された光が、一旦、導光板１８に入射した後、拡散シート２０を介して発光パネルユニット７の下面側から照射されるようになっており、その照射面全体がムラなく一様に発光するようになっている。
【００３３】
図３に示すように、ＬＥＤ２１が配置される照明基板２２から配線１７が発光パネルユニット７の外部に延び、この配線１７は、発光パネルユニット７の角部から天井パネル６の角部に向かって延びている。そして、この配線１７は、側面パネル３同士の間の角部に沿って下方側に延設されており（図３の部分拡大図参照）、展示台２内部に配置されたＡＣアダプタ（図示略）や制御回路（図示略）などに接続されている。なお、この制御回路は、室内に設けられたコンセント等から電力を供給されるようになっている。
【００３４】
なお、本実施例のような発光パネルユニット７が天井パネル６に設置されている展示ケース１は、行灯型四面展示ケース１と称されている。また、本実施例の展示ケース１の天井パネル６をガラスパネル１１のみで構成すると、行灯型五面展示ケースとすることができる。即ち本実施例の行灯型四面展示ケース１は、その製造工程の途中の段階まで行灯型五面展示ケースの製造工程と同一になっている。
【００３５】
このように本実施例の行灯型四面展示ケース１は、行灯型五面展示ケースの製造工程を利用して、その行灯型五面展示ケースの天井パネル６に発光パネルユニット７を配置して行灯型四面展示ケース１を製造することができるようになり、行灯型五面展示ケースと行灯型四面展示ケース１とを同じ製造工程で製造することができ、展示ケース１の生産効率を向上させることができる。更に、発光パネルユニット７は、薄型に形成できるため、行灯型四面展示ケース１では、その天井パネル６の圧迫感がなくなり、行灯型五面展示ケースと行灯型四面展示ケース１との外観をほぼ同じように形成することができる。
【００３６】
図６に示すように、展示台２には、アジャスター２５やキャスター（図示略）が取り付けられて床面に設置される鉄骨フレーム部材２３を有している。展示ケース１は、アジャスター２５やキャスター（図示略）によって室内の任意の場所に移動して設置することができる。鉄骨フレーム部材２３の上方には、展示品（図示略）を載置するための載置板２６が設けられる。そして、鉄骨フレーム部材２３の正面及び左右側面には、固定板２７が設けられ、この固定板２７に側面パネル３の下部が接着剤等により取り付けられる。また、鉄骨フレーム部材２３の背面には、扉パネル５を開閉移動可能に支持する扉開閉装置２８（移動支持手段）が設けられている。
【００３７】
この扉開閉装置２８は、鉄骨フレーム部材２３に取り付けられたブッシュ部材２９と、このブッシュ部材２９により前後方向にスライド移動されるシャフト部材３０と、を有している。そして、シャフト部材３０の端部に取り付けられたレール基部３１には、左右方向にスライド移動されるスライドレール装置３２が設けられている。更に、スライドレール装置３２には、左右方向にスライド移動される移動板３３が設けられ、この移動板３３に扉パネル５の下部が接着剤等により取り付けられる。
【００３８】
図２に示すように、扉パネル５を開放する際には、作業者が扉パネル５の上端縁のカバー部材９を掴んで、扉パネル５を数センチほど背面側に引き出す。そして、扉パネル５を側方にスライド移動させて開放するようになっている。また、図１に示すように、扉パネル５を閉鎖する際には、開放された扉パネル５をケース本体の背面までスライド移動させ、扉パネル５を正面側に押し込むことで閉鎖されるようになっている。
【００３９】
次に、レール部材１４について図８から図１１を参照して詳述する。なお、図９（ａ）は、図８（ａ）のＡ−Ａ断面に対応し、図１０は、図８（ｂ）のＢ−Ｂ断面に対応し、図１１は、図１０のＣ−Ｃ断面に対応している。
【００４０】
図８及び図９に示すように、天井パネル６の上面のレール部材１４には、扉パネル５の閉鎖状態を維持するためのボールキャッチ３４（係合手段）が設けられている。このボールキャッチ３４は、天井パネル６の上面の左右２箇所に設けられている。そして、扉パネル５のカバー部材９の下面の左右２箇所には、ボールキャッチ３４に係合する被係合部３５が設けられている。
【００４１】
また、ボールキャッチ３４は、平面視で略凹形状をなし、被係合部３５は、平面視で略凸形状をなしている。そして、被係合部３５がボールキャッチ３４に設けられた一対のボール４９によって挟み込まれて接続されるようになっている（図８（ａ）及び図９（ａ）参照）。なお、天井パネル６の背面側の縁部には、展示空間４の密閉性を高めるためのパッキン部材３６が設けられているとともに、側面パネル３の背面側の縁部にも、同様のパッキン部材３７が設けられている。そして、作業者が扉パネル５を背面側に引き出すと、カバー部材９の被係合部３５がボールキャッチ３４から外れるようになっている（図８（ｂ）及び図９（ｂ）参照）。
【００４２】
更に、図７（ａ）に示すように、鉄骨フレーム部材２３の背面側にも、扉パネル５の閉鎖状態を維持するためのボールキャッチ３９（係合手段）が設けられている。そして、扉パネル５を支持するレール基部３１には、ボールキャッチ３９に係合する被係合部４０が設けられている。扉パネル５を閉鎖した際には、扉パネル５側に設けられた被係合部３５，４０が、天井パネル６及び展示台２に設けられたボールキャッチ３４，３９に係合されることで、扉パネル５の閉鎖状態を維持するようになっている。そして、作業者が扉パネル５を背面側に引き出すと、扉パネル５の被係合部３５，４０がボールキャッチ３４，３９から外れるようになっている（図７（ｂ）参照）。
【００４３】
図８及び図９に示すように、天井パネル６の上面におけるカバー部材９の配置位置に対応する部位には、前述した開閉レール１２及び案内レール１３が形成されたレール部材１４が取り付けられている。また、レール部材１４は、カバー部材９と略同一寸法に形成されており、扉パネル５の閉鎖時には、カバー部材９によってレール部材１４が覆われて保護されるようになっている（図８（ａ）参照）。このレール部材１４の上面側には、左右方向に延びて断面視で上方が開口された略コ字形状をなす開閉レール１２が形成されている。また、レール部材１４の左右位置には、それぞれ２本づつの案内レール１３が形成されている。この案内レール１３は断面視で略Ｔ字形状をなしている（図１１参照）。
【００４４】
そして、カバー部材９の下面の左右２箇所には、レール部材１４の開閉レール１２及び案内レール１３に案内される被案内部３８が取り付けられている。この被案内部３８は、左右方向に沿って長い矩形状をなしている（図１０及び図１１参照）。また、被案内部３８は、摺動性の高いナイロン樹脂等の材質により形成されている。更に、被案内部３８には、案内レール１３の断面視形状と略同一形状をなす溝部５０が形成されている。この溝部５０が案内レール１３に遊嵌されるようになっている。なお、開閉レール１２において、カバー部材９の被係合部３５及び被案内部３８が通過する部位は切り欠かれている。この被案内部３８が開閉レール１２に案内されることで、扉パネル５の左右方向の移動が案内される。そして、被案内部３８が案内レール１３に案内されることで、扉パネル５の前後方向の移動が案内される。
【００４５】
以上説明したように、本実施例の展示ケース１においては、扉パネル５が展示台２に設けられる扉開閉装置２８（移動支持手段）により移動可能に支持され、扉パネル５には、その上端縁から天井パネル６の上面縁部を覆うように延設されるカバー部材９が設けられ、扉パネル５が天井パネル６に向かって移動されることでカバー部材９の少なくとも一部に係合されるボールキャッチ３４（係合手段）が天井パネル６の上面に設けられることで、展示台２に扉開閉装置２８を設けることで展示ケース１の重心を低くして地震等が発生した際に展示台２が揺れ難くなり、かつカバー部材９の自重により扉パネル５の上端縁が天井パネル６に向かって傾き易くなり、扉パネル５を閉じる際に、作業者がカバー部材９をボールキャッチ３４に係合し易くなるばかりか、カバー部材９及びボールキャッチ３４を介して互いに接続される扉パネル５とケース本体との密閉性を向上させることができる。また、カバー部材９やボールキャッチ３４が天井パネル６の上面側に配置されることで、天井パネル６を薄く形成すること可能になるばかりか、扉パネル５の略全面を透明にすることが可能となり、鑑賞者が展示品を鑑賞する際の圧迫感を無くすこともできる。
【００４６】
また、カバー部材９の下面には、ボールキャッチ３４（係合手段）と係合する被係合部３５が設けられ、かつ天井パネル６の上面縁部には、ボールキャッチ３４と被係合部３５との係合方向に沿ってカバー部材９の移動を案内する案内レール１３が設けられることで、扉パネル５を閉める際に、案内レール１３によりカバー部材９がぐらつかずに安定して移動されるようになり、ボールキャッチ３４と被係合部３５との係合をスムーズに行うことができる。
【００４７】
また、案内レール１３は、断面視で略Ｔ字形状をなし、案内レール１３の断面視形状と略同一形状をなす溝部５０がカバー部材９の被案内部３８に設けられることで、案内レール１３によりカバー部材９が案内される際に、水平方向のみならず上下方向にもぐらつかずに案内されるようになる。
【００４８】
また、天井パネル６には、その上面周縁部におけるカバー部材９が配置される部位以外に、略枠状をなす枠部材８が設けられ、枠部材８の厚み寸法とカバー部材９の厚み寸法を略同一にしたことで、枠部材８によって天井パネル６が補強されて天井パネル６が歪み難くなり、ボールキャッチ３４の配置精度が向上して、扉パネル５のがたつき等を防止できる。また、天井パネル６を外方から視認する際に、カバー部材９と枠部材８とが一体的な見栄えになり、体裁のよい展示ケース１を提供することができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、発光パネルユニット７の照明手段としてＬＥＤ２１が用いられているが、本発明はこれに限ることなく、照明手段として冷陰極発光体（Cold Cathode Fluorescent Lamp：略称ＣＣＦＬ）を用いるようにしてもよい。
【００５１】
また、前記実施例では、導光板１８の前後の二辺側にＬＥＤ２１を有する２つの照明基板２２が設けられていたが、１つの照明基板２２を設けるようにして導光板１８の内部に向かってＬＥＤ２１の光を照射させるようにしてもよいし、導光板１８の四辺全てに照明基板２２を設けるようにして、導光板１８の内部に向かってＬＥＤ２１の光を照射させるようにしてもよい。
【００５２】
また、前記実施例では、扉パネル５を開放させる際に、扉パネル５を背面側に引き出した後に側方にスライド移動させる構成となっているが、扉パネル５の開放形態は、これに限ることなく、扉パネル５を背面側のみに大きく引き出して開放させるようにしてもよいし、扉パネル５を揺動移動により開放させるようにしてもよい。
【符号の説明】
【００５３】
１                展示ケース
２                展示台
３                側面パネル
４                展示空間
５                扉パネル
６                天井パネル
７                発光パネルユニット
８                枠部材
９                カバー部材
１０              配置部
１１              ガラスパネル（透光性パネル部材）
１２              開閉レール
１３              案内レール
１４              レール部材
１７              配線
２８              扉開閉装置（移動支持手段）
３４              ボールキャッチ（係合手段）
３５              被係合部
３８              被案内部
３９              ボールキャッチ（係合手段）
４０              被係合部
５０              溝部
【図１】
0005662173.tif 000002
【図２】
0005662173.tif 000003
【図３】
0005662173.tif 000004
【図４】
0005662173.tif 000005
【図５】
0005662173.tif 000006
【図６】
0005662173.tif 000007
【図７】
0005662173.tif 000008
【図８】
0005662173.tif 000009
【図９】
0005662173.tif 000010
【図１０】
0005662173.tif 000011
【図１１】
0005662173.tif 000012